(57)【要約】【課題】  プリント生地の在庫を持つ必要がない衣類製作システムを提供すること。【解決手段】  管理用コンピュータ４と、生地を印刷するための印刷装置６と、衣類に関する情報が登録された衣類データベース２８と、を備えた衣類製作システム。管理用コンピュータ４は、顧客が選択した色及び／又は柄を印刷するように印刷装置６に色／柄印刷信号を送って生地に印刷し、各注文毎に印刷装置６を用いて色／柄を生地（原反）に印刷することによって、プリント生地の在庫を持つ必要がなくなり、少ない在庫で顧客の要望を満たすことができる。このような衣類製作システムでは、管理用コンピュータ４及び印刷装置６は縫製工場（縫製業者）側に設置され、店舗側には衣類を注文するための端末装置としてのパソコン１０が設置される。【選択図】  図２
2006252402.tif 000002
【特許請求の範囲】
【請求項１】
管理用コンピュータと、生地を印刷するための印刷装置と、衣類に関する情報が登録された衣類データベースと、を備えており、前記管理用コンピュータは、顧客が選択した色及び／又は柄を印刷するように前記印刷装置に色／柄印刷信号を送って生地に印刷することを特徴とする衣類製作システム。
【請求項２】
前記管理用コンピュータ及び前記印刷装置は縫製工場側に設置され、店舗側には衣類を注文するための端末装置が設置され、前記端末装置にて入力された色及び／又は柄情報が通信手段を介して前記管理用コンピュータに送信され、前記管理用コンピュータは、前記端末装置にて入力された色及び／又は柄を印刷するように前記印刷装置に色／柄印刷信号を送って生地に印刷することを特徴とする請求項１に記載の衣類製作システム。
【請求項３】
衣類を縫製するための型パターンに関する情報が登録された型パターンデータベースが更に設けられており、前記端末装置にて入力された色及び／又は柄情報並びにサイズ情報が前記通信手段を介して前記管理用コンピュータに送信され、前記管理用コンピュータは、前記端末装置にて入力されたサイズに対応する型パターンを印刷するとともに前記端末装置にて入力された色及び／又は柄を印刷される型パターン内に印刷するように、前記印刷装置に色／柄印刷信号及び型パターン印刷信号を送って生地に印刷することを特徴とする請求項２に記載の衣類製作システム。
【請求項４】
前記端末装置は衣類の製作と型パターンの印刷の選択が可能に構成されており、衣類の製作を選択したときには、前記管理用コンピュータは、前記端末装置にて入力された色及び／又は柄を印刷するように、前記印刷装置に色／柄印刷信号を送り、また型パターンの印刷を選択したときには、前記管理用コンピュータは、前記端末装置にて入力されたサイズに対応する型パターンを印刷するとともに前記端末装置にて入力された色及び／又は柄を印刷される型パターン内に印刷するように、前記印刷装置に色／柄印刷信号及び型パターン印刷信号を送ることを特徴とする請求項２に記載の衣類製作システム。
【請求項５】
前記端末装置は、入力された色／柄、サイズ及びデザインを採用した仮想衣類画像を生成するための仮想衣類画像生成手段と、顧客の体型画像に前記仮想衣類画像生成手段の仮想衣類画像を合成するための画像合成手段と、画像情報を表示するための表示手段とを備え、前記画像合成手段により合成された仮想衣類試着画像が前記表示手段に表示されることを特徴とする請求項２〜４のいずれかに記載の衣類製作システム。
【発明の詳細な説明】
【技術分野】
【０００１】
本発明は、顧客の注文に応じてシャツ、トレーナーなどの衣類を製作する衣類製作システムに関する。
【背景技術】
【０００２】
顧客の注文に応じて衣類を製作するシステムとして、小売店舗に設置した端末装置と縫製工場に設置した管理用コンピュータと備え、端末装置と管理用コンピュータとをネットワーク網を介して接続したものが知られている（例えば、特許文献１参照）。この衣類製作システムでは、端末装置を入力操作して購入者の体型データ、購入者の希望する色／柄データなどが管理用コンピュータに送られ、縫製工場では、管理用コンピュータで受信した体型データ、購入者の希望する色／柄データに基づいて注文のシャツなどの衣類を製作し、製作した衣類を顧客に送付するものである。このような衣類製作システムでは、顧客の注文に応じて衣類を製作するために、顧客の好みに合ったものをつくることができ、また注文生産となるために、商品の在庫を持つ必要がないとうメリットがある。
【０００３】
【特許文献１】特開２００２−２３０１２３号公報
【発明の開示】
【発明が解決しようとする課題】
【０００４】
しかしながら、このような衣類製作システムでは、衣類の製作については顧客の注文に応じてつくるために、完成品の衣類（例えば、シャツ、トレーナー、Ｔシャツなど）を在庫として持つ必要はないが、生地としては予めプリントされたものを用いるために、顧客の好みに応じるためには多数種類の生地を用意しなければならず、プリントされた生地を多数在庫として持たなければならないという問題がある。また、このことに関連して、顧客からの注文が極めて少ないプリント生地については廃棄しなければならず、プリント生地の無駄が発生するという問題がある。
【０００５】
本発明の目的は、プリント生地の在庫を持つ必要がない新しい衣類製作システムを提供することである。
また、本発明の他の目的は、従来の衣類の生産システムを改善し、比較的簡単に且つ容易に衣類を製作することができる新しい衣類製作システムを提供することである。
【課題を解決するための手段】
【０００６】
本発明の請求項１に記載の衣類製作システムでは、管理用コンピュータと、生地を印刷するための印刷装置と、衣類に関する情報が登録された衣類データベースと、を備えており、前記管理用コンピュータは、顧客が選択した色及び／又は柄を印刷するように前記印刷装置に色／柄印刷信号を送って生地に印刷することを特徴とする。
【０００７】
また、本発明の請求項２に記載の衣類製作システムでは、前記管理用コンピュータ及び前記印刷装置は縫製工場側に設置され、店舗側には衣類を注文するための端末装置が設置され、前記端末装置にて入力された色及び／又は柄情報が通信手段を介して前記管理用コンピュータに送信され、前記管理用コンピュータは、前記端末装置にて入力された色及び／又は柄を印刷するように前記印刷装置に色／柄印刷信号を送って生地に印刷することを特徴とする。
【０００８】
また、本発明の請求項３に記載の衣類製作システムでは、衣類を縫製するための型パターンに関する情報が登録された型パターンデータベースが更に設けられており、前記端末装置にて入力された色及び／又は柄情報並びにサイズ情報が前記通信手段を介して前記管理用コンピュータに送信され、前記管理用コンピュータは、前記端末装置にて入力されたサイズに対応する型パターンを印刷するとともに前記端末装置にて入力された色及び／又は柄を印刷される型パターン内に印刷するように、前記印刷装置に色／柄印刷信号及び型パターン印刷信号を送って生地に印刷することを特徴とする。
【０００９】
また、本発明の請求項４に記載の衣類製作システムでは、前記端末装置は衣類の製作と型パターンの印刷の選択が可能に構成されており、衣類の製作を選択したときには、前記管理用コンピュータは、前記端末装置にて入力された色及び／又は柄を印刷するように、前記印刷装置に色／柄印刷信号を送り、また型パターンの印刷を選択したときには、前記管理用コンピュータは、前記端末装置にて入力されたサイズに対応する型パターンを印刷するとともに前記端末装置にて入力された色及び／又は柄を印刷される型パターン内に印刷するように、前記印刷装置に色／柄印刷信号及び型パターン印刷信号を送ることを特徴とする。
【００１０】
また、本発明の請求項５に記載の衣類製作システムでは、前記端末装置は、入力された色／柄、サイズ及びデザインを採用した仮想衣類画像を生成するための仮想衣類画像生成手段と、顧客の体型画像に前記仮想衣類画像生成手段の仮想衣類画像を合成するための画像合成手段と、画像情報を表示するための表示手段とを備え、前記画像合成手段により合成された仮想衣類試着画像が前記表示手段に表示されることを特徴とする。
【発明の効果】
【００１１】
本発明の請求項１に記載の衣類製作システムによれば、生地（色、柄などが印刷されていない無地の原反）を印刷するための印刷装置を備え、顧客が選択した色及び／又は柄が印刷されるように、管理用コンピュータは印刷装置に色／柄印刷信号を送るので、印刷装置は各顧客が希望する色／柄を原反に印刷し、出来上がったものは顧客が希望する色／柄が施された印刷生地となり、この印刷生地を用いることによって、希望する色及び／又は柄の衣類、例えばシャツ、トレーナー、スカート、ズボン、子供服、エプロンなどを製作することができる。
【００１２】
また、本発明の請求項２に記載の衣類製作システムによれば、管理用コンピュータ及び端末装置が縫製工場側に設置され、端末装置が店舗側に設置され、端末装置で入力された色及び／又は柄情報が通信手段を介して管理用コンピュータに送信されるので、店舗側にて受注の営業活動を行い、縫製工場側で色及び／又は柄の印刷並びに縫製を行い、出来上がった衣類を縫製工場から顧客に送るようになる。
【００１３】
また、本発明の請求項３に記載の衣類製作システムによれば、衣類の製作を行うための型パターンに関する情報が登録された型パターンデータベースが設けられている。端末装置によって、色及び／又は柄情報と顧客のサイズ情報とが入力され、管理用コンピュータは端末装置で入力された色及び／又は柄の色／柄印刷信号並びに入力されたサイズに対応する型パターン印刷信号を印刷装置に送るので、印刷装置は顧客が希望する色及び／又は柄と裁断、縫製するときに用いる型パターンが生地（原反）に印刷され、これによって、顧客の希望する衣類を比較的簡単に且つ容易に製作することができる。また、顧客が希望する色及び／又は柄は印刷される型パターン内のみに施されるので、生地に無駄に印刷することがない。
【００１４】
また、本発明の請求項４に記載の衣類の製作システムによれば、衣類の製作と型パターンの選択が可能に構成されている。衣類製作を選択したときには、印刷手段は端末装置にて入力された色及び／又は柄を印刷し、この印刷生地を用いて希望する色及び／又は柄が施された衣類が製作される。また型パターンを選択したときには、印刷装置は端末装置にて入力された色及び／又は柄とサイズに対応する型パターンを印刷し、この印刷生地を顧客に送付することによって、顧客は希望する衣類を容易に製作することができる。また、色及び／又は柄の印刷は型パターン内のみに施されるので、色及び／又は柄を無駄に印刷することはない。
【００１５】
更に、本発明の請求項５に記載の衣類の製作システムによれば、端末装置は仮想衣類画像生成手段、画像合成手段及び表示装置を備え、仮想衣類画像生成手段は端末装置によって入力された色／柄、サイズ及びデザインを採用した仮想衣類画像を生成し、画像合成手段はこの仮想衣類画像情報を顧客の体型画像に合成し、画像合成手段による合成画像が表示手段に表示されるので、顧客は端末装置を入力操作して指定した衣類の出来上がりをこの表示画面を見ることによって把握することができ、顧客の購入ミスを少なくすることができる。
【発明を実施するための最良の形態】
【００１６】
以下、添付図面を参照して、本発明に従う衣類製作システムの一実施形態について説明する。図１は、一実施形態の衣類製作システムを簡略的に示す全体図であり、図２は、図１の衣類製作システムにおける店舗側端末装置及び縫製工場側管理コンピュータを簡略的に示すブロック図であり、図３は、発注及びこの発注に基づく衣類の製作の流れを示すフローチャートである。
【００１７】
図１において、図示の衣類製作システムは、縫製工場２側に設置される管理用コンピュータ４及び印刷装置６と、店舗側に設置される端末装置としてのパソコン１０とから構成される。図１では、店舗として三つの店舗８Ａ，８Ｂ，８Ｃを示し、各店舗８Ａ，８Ｂ，８Ｃに各一台のパソコン１０を示すが、実際のシステムでは、多数の店舗が存在するとともに、各店舗に一台又は複数台のパソコンが設置される。
【００１８】
店舗８Ａ，８Ｂ，８Ｃのパソコン１０は、例えばインターネット網１２を介して縫製工場２の管理用コンピュータ４と通信接続され、これらパソコン１０と管理用コンピュータ４との間で各種データが後述する如く送受信される。このデータの送受信は、電話回線、専用回線などを用いて行ってもよい。
【００１９】
図２をも参照して、縫製工場２側の管理用コンピュータ４について説明すると、図示の管理用コンピュータ４は演算処理を実行するためのマイクロプロセッサから構成され、データ読出し手段１４、データ登録手段１６、データ処理手段１８、金額演算手段２０、印刷信号生成手段２２及びメモリ手段２４を備えている。また、この管理用コンピュータ４には、各種データを登録するサーバ２６が接続され、管理用コンピュータ４で処理されたデータがサーバ２６に登録される。
【００２０】
データ読出し手段１４はサーバ２６に登録された各種データを読出し、データ登録手段１６は各種データをサーバ２６に登録し、データ処理手段１８は各種データを所要の通りに後述する如く処理する。また、金額演算手段２０は発注を希望する衣類の金額を演算し、印刷信号生成手段２２は印刷装置６に送る印刷信号を生成し、メモリ手段２４には各種データが一時的の登録される。この実施形態では、サーバ２６には、衣類に関する情報、例えば色情報、柄情報、デザイン情報としてのポケット形状情報、襟形状情報などが登録された衣類データベース２８と、生地を裁断、縫製して衣類を製作するときに用いる型パターンに関する情報が登録された型パターンデータベース３０と、衣類の製作に要する料金に関する情報が登録された発注料金データベース３２と、パソコン１０を用いて発注した発注者、即ち顧客に関する情報並びにこの発注者の発注情報及び発注金額が登録された顧客データベース３４とを備えている。
【００２１】
印刷装置６は、例えばインクジェットプリンタなどから構成され、無地の原反に後述する如くして色及び／又は柄を印刷する。この管理用コンピュータ４には、入力手段３６、表示手段３８及び通信手段４０が接続される。入力手段３６はキーボード、マウスなどから構成され、各種データなどを入力する際に操作される。また、表示手段３８は液晶表示装置、ＣＲＴなどから構成され、各種データを画面に表示する。更に、通信手段４０は各種データを送受信するためのものであり、この通信手段４０を介して管理用コンピュータ４がインターネット網１２に接続される。
【００２２】
また、店舗８Ａ（８Ｂ，８Ｃ）側のパソコン１０は各種データを演算処理するためのマイクロプロセッサから構成され、データ処理手段４２、仮想衣類画像生成手段４４、画像合成手段４６、画像修正手段４８及びメモリ手段５０を備えている。データ処理手段１０は各種データを処理し、仮想衣類画像生成手段４４は後述する如くして入力した条件の仮想衣類画像を生成し、画像合成手段４６は顧客の体型画像に仮想衣類画像生成手段４４が生成した仮想衣類画像を合成し、画像修正手段４８はこの合成画像の一部を修正する。また、メモリ手段５０には各種データが一時的に記憶される。
【００２３】
このパソコン１０には、入力手段５２、表示手段５４、カードリーダ５６、デジカメ（デジタルカメラ）５８、印刷手段６０及び通信手段６２が接続される。カードリーダ５６にはメモリカード（図示せず）が接続され、メモリカードに記憶された各種情報、例えば顧客の体型画像情報がパソコン１０に読み込まれる。また、デジカメ５８は顧客の体型を撮影するために利用され、デジカメ５８で得られた顧客の体型画像情報がパソコン１０に読み込まれる。また、印刷手段６０は例えばレーザプリンタなどから構成され、各種データを印刷物として紙に出力する。尚、入力手段５２、表示手段５４及び通信手段６２は上述したと同様のものでよく、パソコン１０は通信手段６２を介してインターネット網１２に接続される。
【００２４】
次に、主として図２及び図３を参照して、上述した衣類製作システムにおける衣類製作の流れについて説明する。衣類の製作を依頼する場合、店舗８Ａ（８Ｂ，８Ｃ）に設置されている端末装置としてのパソコン１０を次のように操作して衣類の注文書類を作成する。即ち、注文書を作成する場合、まず、顧客の体型画像情報を入力する（ステップＳ１）。この体型画像情報は、顧客が予め体型画像情報をメモリカードに登録しているときには、このメモリカードをカードリーダ５６に挿入して登録されている顧客の体型画像情報をパソコン１０に取り込み、取り込まれた体型画像情報がメモリ手段５０に記憶される。このとき、メモリカードに顧客の氏名、住所、電話番号などの顧客情報が登録されていると、この顧客情報も読み取られ、読み取られた情報がメモリ手段５０に一時的に登録される。デジカメ５８を用いて顧客の体型画像情報を得るときには、デジカメ５８で顧客を撮影し、撮影した体型画像情報をパソコン１０に取り込むようになる。このようなときには、顧客の氏名などの顧客情報は入力手段５２を入力操作することによって入力され、この顧客情報もメモリ手段５０に一時的に登録される。
【００２５】
次に、入力手段５２を入力操作して注文衣類の種類を選択する（ステップＳ２）。例えば、このシステムを利用して衣類として例えばシャツ、トレーナー、スカート、ズボン、子供服、エプロンが注文可能であるとすると、これらのうち注文しようとする一つの衣類、例えばシャツを選択する。そして、選択した衣類（例えば、シャツ）のデザインを一つずつ選択する（ステップＳ３）。例えば、シャツのポケットの形状、襟の形状、袖の形状などを選択して希望のデザインを指定する。このとき、縫製工場２のサーバ２６とパソコン１０との間で管理用コンピュータ４、通信手段４０、インターネット網１２及び通信手段６２を介してデータのやりとりが行われ、衣類データベース２８に登録されているポケット形状情報、襟形状情報及び袖形状情報などを用いてデザインの指定が行われる。
【００２６】
次いで、指定した衣類の色、柄の指定を行う（ステップＳ３）。この指定は、出来上がりの衣類の色のみを指定するようにしてもよく、この衣類の柄のみを指定するようにしてもよく、或いは衣類の色と柄の双方を指定するようにしてもよい。衣類の色（及び／又は柄）を指定するときにも、衣類のデザインを指定すると同様に、縫製工場２のサーバ２６とパソコン１０との間でデータのやりとりが行われ、衣類データベース２８に登録されている色情報（及び／又は柄情報）を用いて色（及び／又は柄）の指定が行われる。
【００２７】
更に、指定した衣類のサイズの指定を行う（ステップＳ５）。この指定は、出来上がりの衣類の大きさを指定するもので、例えばＬＬ（特大）、Ｌ（大）、Ｍ（中）、Ｓ（小）ＳＳ（特小）と５段階のいずれかを指定するようにしてもよく、或いはシャツの首周り○○ｃｍ、裄△△ｃｍ・・・などと指定するようにしてもよい。尚、このような顧客の選択データ、即ちデザインの選択データ、色及び／又は柄選択データ及びサイズ選択データは、メモリ手段５０に一時的に登録される。
【００２８】
このようにデザイン、色、柄などの選択が行われると、仮想衣類画像生成手段４４は、メモリ手段５０に登録された顧客選択データに基づいて仮想衣類画像（即ち、出来上りを仮想した衣類の画像）を生成する（ステップＳ６）。この仮想衣類画像を生成するときには、サーバ２６の衣類データベース２８に登録されたデザイン情報、色情報、柄情報などを用いて仮想衣類画像が生成される。そして、画像合成手段４８は、顧客の体型画像にこの仮想衣類画像を合成し、顧客が希望の衣類（例えば、シャツ）を身に付けた仮想画像を生成する（ステップＳ７）。この合成画像は、データ処理手段４２によって表示手段５４の画面上に表示され、表示された画面内容を見て顧客は自分に似合うか否かの判断し、似合うと判断したときにはステップＳ８からステップＳ９に進む。一方、似合わないと判断したときには、ステップＳ３に戻り、デザインの選択、色、柄の選択などを再度行う。
【００２９】
例えばデザインが似合わない、好みでないときには、ステップＳ３におけるデザインの選択を再度行うようになり、このようにデザインの選択を修正選択したときには、画像修正手段４８がデザインのみを修正選択した修正仮想衣類画像を生成し（ステップＳ６）、画像合成手段４６はこの修正仮想衣類画像を顧客の体型画像に合成し（ステップＳ７）、顧客は表示手段５４の画像を見て自分に似合うかどうかを再度判断し、このような選択を似合うと判断するまで実行するようになる。
【００３０】
顧客が表示手段５４の画像を見て満足すると、選択した衣類を注文するか、衣類の型パターンを注文するかを決定する。この決定は入力手段５２を入力操作して行い、衣類の注文を決定したときには、ステップＳ９からステップＳ１０に進み、衣類を発注したときの見積金額が演算される。この見積金額は、発注料金データベース３２に登録された発注料金及びメモリ手段５０に登録された顧客選択データに基づいて、金額演算手段２０が演算実行し、この見積金額が管理用コンピュータ４からパソコン１０に送られて表示手段５４に表示され、顧客はこの金額を見て選択した衣類を正式に発注するかを決定し、発注決定したときにはステップＳ１１からステップＳ１２に進む。尚、このときの見積金額は、原反の料金、色及び／又は柄の印刷料金、ポケットなどのデザイン料金、裁断や縫製などの仕上げ料金、発送料金などが含まれる。
【００３１】
一方、衣類の型パターンを決定したときには、ステップＳ９からステップＳ１３を経てステップＳ１４に移り、衣類の型パターンを発注したときの見積金額が演算される。この見積金額は、発注料金データベース３２の発注料金及び上記顧客選択データに基づいて、金額演算手段２０が演算実行し、上述したと同様に、顧客はこの金額を見て選択した衣類の型パターンを正式に発注するかを決定し、発注決定したときにはステップＳ１５からステップＳ１６に進む。尚、このときの見積金額は、原反の料金、色及び／又は柄の印刷料金、ポケットなどのデザイン料金などが含まれる。
【００３２】
衣類を発注決定してステップＳ１２に進むと、パソコン１０のデータ処理手段４２は、メモリ手段５０に記憶された顧客情報（顧客の氏名、住所など）及び顧客選択データ（デザイン選択データ、色／柄選択データなど）を用いて衣類発注書を作成し、この衣類発注書データが店舗８Ａ（８Ｂ，８Ｃ）側のパソコン１０からインターネット網１２を介して縫製工場２側の管理用コンピュータ４に送信され（ステップＳ１７）、衣類の正式な発注が行われ、この注文書データがサーバ２６の顧客データベース３４に登録され、この顧客データベース３４において顧客に関する情報の管理が行われる。
【００３３】
このように正式発注が行われると、管理用コンピュータ４の印刷信号生成手段２２は、衣類データベース２８の衣類情報及び型パターンデータベース３０の型情報並びに顧客の選択データに基づいて、生地（原反）に顧客が希望する色及び／又は柄を印刷するとともに顧客が希望する衣類の型パターンを印刷するための印刷信号を生成し、かかる印刷信号が印刷装置６に送られ、印刷装置６によって生地に所要の通りの印刷が施される（ステップＳ１８）。この印刷においては、印刷される型パターン内にのみ色及び／又は柄を印刷するようにするのが望ましく、このように印刷することによって、生地に無駄に印刷することがなくなる。
【００３４】
印刷が終了すると、印刷生地を型パターンに沿って裁断し、裁断したパーツを所要の通りに縫製し、このように裁断、縫製作業を行って顧客が希望する衣類が製作され（ステップＳ１９）、製作後に衣類が顧客に発送され（ステップＳ２０）、顧客は製作された衣類を受領後に製作費用を縫製業者（縫製工場２の所有者）に支払うようになる。
【００３５】
また、衣類の型パターンを発注決定してステップＳ１６に進むと、パソコン１０のデータ処理手段４２は、上述したと同様にしてメモリ手段５０に記憶された顧客情報及び顧客選択データを用いて型パターン発注書を作成し、この型パターン発注書データが店舗８Ａ（８Ｂ，８Ｃ）側のパソコン１０からインターネット網１２を介して縫製工場２側の管理用コンピュータ４に送信され（ステップＳ２１）、衣類の型パターンを施した生地（この生地を利用して顧客が希望する衣類を製作する）の正式な発注が行われ、この注文書データがサーバ２６の顧客データベース３４に登録される。
【００３６】
このように正式発注が行われると、管理用コンピュータ４の印刷信号生成手段２２は、上述したと同様にして衣類データベース２８の衣類情報及び型パターンデータベース３０の型情報並びに顧客の選択データに基づいて、生地（原反）に顧客が希望する色及び／又は柄を印刷するとともに顧客が希望する衣類の型パターンを印刷するための印刷信号を生成し、かかる印刷信号が印刷装置６に送られ、印刷装置６によって生地に所要の通りの印刷が施される（ステップＳ２２）。このときも、印刷される型パターン内にのみ色及び／又は柄を印刷するようにするのが望ましい。型パターンの注文のときには、これでもって作業は終了し、かく印刷された生地（希望する衣類の材料となる生地）が顧客に発送され（ステップＳ２３）、顧客は型パターンなどを印刷した生地を受領後に製作費用を縫製業者に支払うようになる。また、この顧客は、受け取った生地を裁断、縫製して衣類を製作するようになるが、生地に予め型パターンが施されているので、その製作を容易に行うことができる。
【００３７】
以上、本発明に従う衣類製作システムの一実施形態について説明したが、本発明はかかる実施形態に限定されるものではなく、本発明の範囲を逸脱することなく種々の変形乃至修正が可能である。
【００３８】
例えば、上述した実施形態では、希望の衣類を発注する際に、完成品としての衣類と完成前の型パターンの状態の衣類とを選択可能に構成しているが、完成品としての衣類のみを発注可能な構成にしてもよい。
【００３９】
また、例えば、上述した実施形態では、印刷装置６によって生地（原反）に色／柄などとともに型パターンも印刷しているが、このような構成に限定されず、顧客の注文に応じて生地に色／柄のみを印刷して衣類を製作するようにしてもよい。
【００４０】
また、例えば、上述した実施形態では、店舗８Ａ（８Ｂ，８Ｃ）側に端末装置としてのパソコン１０を設置し、このパソコン１０を用いて顧客の注文を受けているが、例えば店舗８Ａ（８Ｂ，８Ｃ）にファクシミリなどを設置し、顧客から受けた顧客選択データをファクシミリで縫製工場２側に送信し、管理用コンピュータ４側の入力手段３６により顧客選択情報を入力するようにしてもよい。或いは、顧客がインターネット網１２を介して縫製工場４の管理用コンピュータ４にアクセスし、縫製工場４（縫製業者）に直接的に注文を行うようにしてもよい。
【図面の簡単な説明】
【００４１】
【図１】一実施形態の衣類製作システムを簡略的に示す全体図。
【図２】図１の衣類製作システムにおける店舗側端末装置及び縫製工場側管理コンピュータを簡略的に示すブロック図。
【図３】発注及びこの発注に基づく衣類の製作の流れを示すフローチャート。
【符号の説明】
【００４２】
４  管理用コンピュータ
６  印刷装置
１０  パソコン（端末装置）
１２  インターネット網
２６  サーバ
２８  衣類データベース
３０  型パターンベータベース
３２  発注料金データベース
３４  顧客データベース
４４  仮想衣類画像生成手段
４６  画像合成手段
【図１】
2006252402.tif 000003
【図２】
2006252402.tif 000004
【図３】
2006252402.tif 000005